(57)【要約】【課題】ＴＥＣ値を低減する。【解決手段】印刷データＤ１に基づいてカラー印刷もしくはモノクロ印刷を実行可能なプリンター１００において、印刷データＤ１から作成されるカラー画像データの画像処理を行うカラー用スクリーン回路と、カラー用スクリーン回路を除いた少なくとも印刷データＤ１から作成されるモノクロ画像データの画像処理を行うスクリーン回路１４Ｋを含む制御ＩＣ１０と、で電源の供給経路が分離されており、印刷データＤ１をカラー印刷するかモノクロ印刷するか判別するモノクロ／カラー判別部Ｍ２と、印刷データＤ１をカラー印刷するときは制御ＩＣ１０全体に電源を供給し、モノクロ印刷するときはカラー用スクリーン回路の電源をオフし且つその他の制御ＩＣ１０に電源を供給する電源制御部Ｍ３と、を備える。【選択図】図２
2011194740.tif 000002
【特許請求の範囲】
【請求項１】
印刷データに基づいてカラー印刷もしくはモノクロ印刷を実行可能な印刷装置であって、
上記印刷データから作成されるカラー画像データの画像処理を行う第１回路と、上記第１回路を含まず少なくとも上記印刷データから作成されるモノクロ画像データの画像処理を行う回路を含む第２回路と、で電源の供給経路が分離されており、
上記印刷データをカラー印刷するかモノクロ印刷するか判別するモノクロ／カラー判別部と、
上記印刷データをカラー印刷するときは上記第１回路と上記第２回路とに電源を供給し、上記印刷データをモノクロ印刷するときは上記第２回路に電源を供給し且つ上記第１回路に電源を供給しない電源制御部と、
を備えることを特徴とする印刷装置。
【請求項２】
上記第１回路は、上記印刷データから作成される画像データの色空間を上記印刷装置の色空間に変換する色変換部と、上記色変換部によって色変換された後の画像データを圧縮する圧縮部と、上記色変換部によって色変換された後の画像データにスクリーン処理を行うスクリーン処理部と、の少なくとも１つを含む請求項１に記載の印刷装置。
【請求項３】
上記電源制御部は、上記印刷データの入力が無いときは上記第１回路と上記第２回路の電源をオンし、入力された上記印刷データをモノクロ印刷するときに上記第１回路の電源をオフする請求項１又は請求項２に記載の印刷装置。
【請求項４】
上記電源制御部は、上記印刷データの入力が無いときは上記第１回路の電源をオフし且つ上記第２回路の電源をオンし、入力された上記印刷データをカラー印刷するときに上記第１回路の電源をオンする請求項１〜請求項３の何れか１項に記載の印刷装置。
【請求項５】
読取対象物の読取面を走査して読取画像データを取得する画像読取部を更に備え、
上記モノクロ／カラー判別部は、上記読取画像データがカラー画像データかモノクロ画像データかを判別し、
上記電源制御部は、上記読取画像データがカラー画像データのときは上記第１回路と上記第２回路とに電源を供給し、上記読取画像データがモノクロ画像データのときは上記第２回路に電源を供給し且つ上記第１回路に電源を供給しない請求項１〜請求項４の何れか１項に記載の印刷装置。
【請求項６】
印刷データに基づいてカラー印刷もしくはモノクロ印刷を実行可能な印刷装置の制御方法であって、
上記印刷装置は、上記印刷データから作成されるカラー画像データの画像処理を行う第１回路と、上記第１回路を含まず少なくとも上記印刷データから作成されるモノクロ画像データの画像処理を行う回路を含む第２回路と、で電源の供給経路が分離されており、
上記印刷データをカラー印刷するかモノクロ印刷するか判別するモノクロ／カラー判別工程と、
上記印刷データをカラー印刷するときは上記第１回路と上記第２回路とに電源を供給し、上記印刷データをモノクロ印刷するときは上記第２回路に電源を供給し且つ上記第１回路に電源を供給しない電源制御工程と、
を備えることを特徴とする印刷装置の制御方法。
【発明の詳細な説明】
【技術分野】
【０００１】
本発明は、印刷装置および該印刷装置の制御方法に関し、特に、印刷データに基づいてカラー印刷もしくはモノクロ印刷を実行可能な印刷装置および該印刷装置の制御方法に関する。
【背景技術】
【０００２】
近年、プリンターの省エネ基準として、国際エネルギースタープログラムの適合基準であるＴＥＣ（Typical Electricity Consumption）値が注目されている。プリンターや複合機のＴＥＣ値は、平均的なオフィスの利用形態を想定して製品の消費電力等に基づいて算出する。なお、ＴＥＣ値では、平均的なオフィスの利用形態として、平日の５日間を稼働とスリープ／オフとの繰り返し、休日の２日間をスリープ／オフ、と想定している。このように、ＴＥＣ値はスリープ／オフ時と稼働時の双方が影響する値になっており、ＴＥＣ値を向上するには、スリープ時の消費電力のみならず動作時の消費電力も下げる必要がある。
【０００３】
特許文献１には、複数の回路を、常時電源をオンしておく必要がある回路群と常時電源をオンしておく必要のない回路群とで電源分離し、各回路群への電源供給ラインにレギュレーターを配置し、レギュレーターの外部端子から入力する制御信号により、常時電源をオンしておく必要のないときに後者の回路群の電源をオフする技術が開示されている。
【先行技術文献】
【特許文献】
【０００４】
【特許文献１】特開２００４−１４７８２号公報
【発明の概要】
【発明が解決しようとする課題】
【０００５】
上述した特許文献１は、一般的な電子機器に関する技術あり、プリンターやコピー機などの印刷装置に関する技術ではなかった。
本発明は、上記課題に鑑みてなされたもので、ＴＥＣ値の低減が可能な印刷装置および該印刷装置の制御方法の提供を目的とする。
【課題を解決するための手段】
【０００６】
上記課題を解決するために、本発明にかかる印刷装置では印刷データに基づいてカラー印刷もしくはモノクロ印刷を実行可能な印刷装置において、上記印刷データから作成されるカラー画像データの画像処理を行う第１回路と、上記第１回路を含まず少なくとも上記印刷データから作成されるモノクロ画像データの画像処理を行う回路を含む第２回路と、で電源の供給経路が分離されており、上記印刷データをカラー印刷するかモノクロ印刷するか判別するモノクロ／カラー判別部と、上記印刷データをカラー印刷するときは上記第１回路と上記第２回路とに電源を供給し、上記印刷データをモノクロ印刷するときは上記第２回路に電源を供給し且つ上記第１回路に電源を供給しない電源制御部と、を備える構成としてある。
【０００７】
上記構成において、モノクロ／カラー判別部は、上記印刷データをカラー印刷すべきかモノクロ印刷すべきかを、印刷データの内容に基づいて判別する。印刷データの内容としては、印刷ジョブのコマンドや、印刷データに含まれる画像データの各画素データである。このようにして、入力された印刷データについて、カラー印刷とモノクロ印刷のいずれを行うべきか判別されると、電源制御部は、上記印刷データをカラー印刷するときは上記第１回路と上記第２回路とに電源を供給し、上記印刷データをモノクロ印刷するときは上記第２回路に電源を供給し且つ上記第１回路に電源を供給しない。したがって、モノクロ印刷では使用されない第１回路は、モノクロ印刷を行うときに、電源がオフされることになる。むろん、カラー印刷を行うときには、第１回路と第２回路の双方がオンされている。以上のように、印刷データの内容に基づいて第１回路を適宜にオフすることにより、ＴＥＣ値を適切に低減することができる。
【０００８】
また、本発明の選択的な一態様として、上記第１回路は、上記印刷データから作成される画像データの色空間を上記印刷装置の色空間に変換する色変換部と、上記色変換部によって色変換された後の画像データを圧縮する圧縮部と、上記色変換部によって色変換された後の画像データにスクリーン処理を行うスクリーン処理部と、の少なくとも１つを含む構成とすることができる。これらの色変換部と圧縮部とスクリーン処理部は、カラー画像処理とモノクロ画像処理の双方を行っているため、本発明のように、電源分離する対象としてふさわしく、これらについて適宜に第１回路と第２回路とに振り分けて電源分離することにより、ＴＥＣ値を効率的に低減できる。
【０００９】
また、本発明の選択的な一態様として、上記電源制御部は、上記印刷データの入力が無いときは上記第１回路と上記第２回路の電源をオンし、入力された上記印刷データをモノクロ印刷するときに上記第１回路の電源をオフする構成とすることができる。このように構成すると、モノクロ印刷が多用される環境において、ユーザビリティを犠牲にすることなく、効率的にＴＥＣ値を低減できる。
【００１０】
また、本発明の選択的な一態様として、上記電源制御部は、上記印刷データの入力が無いときは上記第１回路の電源をオフし且つ上記第２回路の電源をオンし、入力された上記印刷データをカラー印刷するときに上記第１回路の電源をオンする構成とすることができる。このように構成すると、カラー印刷が多用される環境において、ユーザビリティを犠牲にすることなく、効率的にＴＥＣ値を低減できる。
【００１１】
また、本発明の選択的な一態様として、読取対象物の読取面を走査して読取画像データを取得する画像読取部を更に備え、上記モノクロ／カラー判別部は、上記読取画像データがカラー画像データかモノクロ画像データかを判別し、上記電源制御部は、上記読取画像データがカラー画像データのときは上記第１回路と上記第２回路とに電源を供給し、上記読取画像データがモノクロ画像データのときは上記第２回路に電源を供給し且つ上記第１回路に電源を供給しない構成とすることができる。このように構成すれば、スキャナーのような画像読取部を備えた印刷装置において、効率的にＴＥＣ値を低減できる。
【００１２】
上述した印刷装置は、他の機器に組み込まれた状態で実施されたり他の方法とともに実施されたりする等の各種の態様を含む。また、本発明は上記印刷装置を備える印刷システム、上述した装置の構成に対応した工程を有する制御方法、上述した装置の構成に対応した機能をコンピュータに実現させる制御プログラム、該制御プログラムを記録したコンピュータ読み取り可能な記録媒体、等としても実現可能である。これら印刷システム、制御方法、制御プログラム、該制御プログラムを記録した媒体、の発明も、上述した作用、効果を奏する。
【図面の簡単な説明】
【００１３】
【図１】本実施例にかかるプリンターの構成を示すブロック図である。
【図２】プリンターの電源回路とその制御にかかる構成を示すブロック図である。
【図３】印刷データの構成の一例を示す図である。
【図４】電源制御のパターンを説明する図である。
【図５】第１のパターンで行う電源制御処理の流れを示すフローチャートである。
【図６】第２のパターンで行う電源制御処理の流れを示すフローチャートである。
【図７】変形例１にかかるプリンターの電源回路とその制御にかかる構成を示すブロック図である。
【図８】変形例２にかかるプリンターの構成を示すブロック図である。
【図９】モノクロ／カラー判別回路の行うモノクロ／カラー判別を説明するフローチャートである。
【図１０】変形例２にかかるプリンターの電源回路とその制御にかかる構成を示すブロック図である。
【図１１】変形例２にかかる電源制御処理の流れを示すフローチャートである。
【図１２】変形例２にかかる電源制御処理の流れを示すフローチャートである。
【発明を実施するための形態】
【００１４】
以下、下記の順序に従って本発明の実施例を説明する。
（１）本実施例の構成：
（２）本実施例の電源制御処理：
（３）各種変形例：
（４）まとめ：
【００１５】
（１）本実施例の構成： 
図１は、本実施例にかかるプリンターの構成を示すブロック図である。同図示すように、本発明の実施例にかかる印刷装置としてのプリンター１００は、ホストコンピューター２００と接続されている。ホストコンピューター２００は、パーソナルコンピューターなどで構成され、プリンター１００へ印刷データＤ１を供給する。
【００１６】
図１に示すプリンター１００は、Ｃ（シアン）、Ｍ（マゼンタ）、Ｙ（イエロー）、Ｋ（ブラック）のトナーを印刷媒体に付着させ、所定のページ記述言語で記述された印刷データＤ１に含まれる印刷コマンドに従って印刷媒体上にカラーもしくはモノクロで印刷画像を形成する。プリンター１００は、制御ＩＣ１０、ＲＯＭ２０、ＲＡＭ３０、印刷エンジン４０、ホストＩ／Ｆ５０、電源回路６０、等を備えている。電源回路６０は、プリンター１００の各部に電源を供給している。
【００１７】
ＲＡＭ（Random Access Memory）３０は、コマンド解釈前の印刷データＤ１、コマンド解釈後のビットマップ画像データＤ２、色変換後のビットマップ画像データの圧縮データＤ３、等を格納する。印刷データＤ１は、ホストコンピューター２００から印刷ドキュメント単位で送信され、プリンター１００に印刷を実行させるための印刷ジョブである。
ホストＩ／Ｆは、ホストコンピューターとの通信インターフェースであり、ホストコンピューター２００に対して情報を入出力可能であり、ホストコンピューター２００から印刷データＤ１を受信する。むろん印刷データＤ１の受信元はホストコンピューター２００に限るものではない。例えば、プリンター１００が外部メモリー等に記憶された画像データを直接にプリンター１００に入力するＩ／Ｆを備えていて、該画像データに基づいて印刷を行うダイレクト印刷機能を制御ＩＣ１０が備えていれば、この機能を実現する制御ＩＣ１０が印刷データＤ１を作成し、ＲＡＭ３０に格納することになる。
【００１８】
制御ＩＣ（Integrated Circuit）１０は、ＣＰＵ（Central Processing Unit）１１と、メモリーコントローラー１２と、色変換・圧縮回路１３と、スクリーン回路１４と、を備えており、ＣＰＵ１１は、メモリーコントローラー１２を介して色変換・圧縮回路１３やスクリーン回路１４を制御可能になっている。また、メモリーコントローラー１２にはＲＡＭ３０やホストＩ／Ｆ５０も接続されており、ＣＰＵ１１は、メモリーコントローラー１２を介してＲＡＭ３０やホストＩ／Ｆ５０を制御可能になっている。なお、本実施例において、色変換処理を行う色変換・圧縮回路１３が色変換部を構成し、圧縮処理を行う色変換・圧縮回路１３が圧縮部を構成し、スクリーン回路１４がスクリーン処理部を構成する。
【００１９】
メモリーコントローラー１２は、ＣＰＵ１１の制御下でＤＭＡ（Direct Memory Access）コントローラーとして機能し、メモリーコントローラー１２に接続された各部間でＣＰＵ１１を経由しないＤＭＡ転送が可能である。例えば、色変換・圧縮回路１３は、受信と送信の２つのＤＭＡチャンネルを占有可能であり、一方のＤＭＡチャンネルを通じてＲＡＭ３０からビットマップ画像を取得し、他方のＤＭＡチャンネルを通じてＲＡＭ３０に圧縮画像を書き込むことができる。また、例えば、スクリーン回路１４は、ＤＭＡチャンネルを通じてＲＡＭから圧縮画像を取得することができる。
【００２０】
制御ＩＣ１０には、ＲＯＭ（Read Only Memory）２０がＣＰＵ１１と通信可能に接続されており、ＣＰＵ１１は、ＲＯＭ２０に記憶されているプログラムに従ってプリンター１００全体の動作を制御する。ＣＰＵ１１がＲＯＭ２０にプログラムを実行することにより、ＣＰＵ１１は、印刷制御部Ｍ１、モノクロ／カラー判別部Ｍ２、電源制御部Ｍ３、等に相当する機能を実現する。
【００２１】
印刷制御部Ｍ１は、ホストコンピューター２００から入力された印刷データＤ１をＲＡＭ３０に記憶させる。印刷データＤ１は、ホストコンピューター２００から印刷ドキュメント単位で送信され、プリンター１００に印刷を実行させるための印刷ジョブである。ホストコンピューター２００から入力された印刷ジョブには、ビットマップ展開するための複数の印刷コマンドが含まれている。ここで、ビットマップ展開とは、印刷コマンドを有する印刷データをビットマップ画像に展開することをいう。
【００２２】
印刷制御部Ｍ１は、コマンド解釈前の印刷データＤ１をＲＡＭ３０から取得し、印刷コマンドに従ってレンダリング処理等を行ってビットマップ展開したビットマップ画像データＤ２をＲＡＭ３０に記憶させる。ビットマップ画像データＤ２は、ビットマップ画像を表すデータであり、ドットマトリクス状やハニカム状に並んだ画素のそれぞれに階調値が格納されたデータである。ビットマップ画像データＤ２の階調値の色空間は、印刷データＤ１の内容に依存し、印刷データＤ１がＲＧＢ色空間で表現されていればＲＧＢ色空間であり、印刷データＤ１がＣＭＹＫ色空間で表現されていればＣＭＹＫ色空間である。
【００２３】
印刷制御部Ｍ１は、コマンド解釈が終了すると、色変換・圧縮回路１３にビットマップ画像データＤ２の色変換処理を指示する。ここで、色変換処理とは、ビットマップ画像データＤ２の各階調値を、プリンター１００の搭載するトナーにより再現可能なＣＭＹＫ色空間の各階調値に変換させる処理をいう。色変換・圧縮回路１３は、ＲＡＭ３０から取得したビットマップ画像データＤ２に色変換処理を行い、色変換後のビットマップ画像データを所定の圧縮アルゴリズムにより圧縮した圧縮画像データＤ３を作成し、圧縮画像データＤ３をＲＡＭ３０に記憶させる。
【００２４】
印刷制御部Ｍ１は、色変換処理が終了すると、スクリーン回路１４に圧縮画像データＤ３のスクリーン処理を指示する。スクリーン回路１４は、ＲＡＭ３０から圧縮画像データＤ３を取得して展開することにより色変換後のビットマップ画像データを取得し、このビットマップ画像データをスクリーン処理してスクリーン画像データを生成する。そして、スクリーン回路１４は、スクリーン画像データを印刷エンジン４０へ出力する。例えば、印刷エンジン４０にＰＷＭ（Pulse Width Modulation；パルス幅変調）処理部があるレーザープリンターの場合、スクリーン画像データをレーザービームによるドット形成に適したパルス信号に変換して出力する。印刷エンジン４０は、上記スクリーン画像データに従って印刷用紙といった印刷媒体にトナーのドットを配置し、印刷画像を印刷媒体上に形成する。
【００２５】
図２は、プリンターの電源回路とその制御にかかる構成を示すブロック図である。本実施例において、スクリーン回路１４はプリンター１００に搭載されているトナーの色毎に用意されており、シアンのスクリーン画像データを作成するスクリーン回路１４Ｃと、マゼンタのスクリーン画像データを作成するスクリーン回路１４Ｍと、イエローのスクリーン画像データを作成するスクリーン回路１４Ｙと、ブラックのスクリーン画像データを作成するスクリーン回路１４Ｋと、を備えている。
【００２６】
スクリーン回路１４Ｃ，１４Ｍ，１４Ｙ，１４Ｋを備える制御ＩＣ１０では、カラー画像を処理する際に必要なスクリーン回路１４Ｃ，１４Ｍ，１４Ｙ（以下、１４Ｃ，１４Ｍ，１４Ｙをまとめてカラー用スクリーン回路と記載する。）と、その他の回路とで電源分離されている。なお、本実施例では、カラー用スクリーン回路が第１回路を構成し、その他の回路が第２回路を構成する。
【００２７】
ここで、電源分離とは、電源供給を別々に制御可能に構成されることであり、本実施例では、電源回路６０からカラー画像用スクリーン回路への電源供給ラインＬ１と、その他の回路への電源供給ラインＬ２を別々に用意し、電源供給ライン上にレギュレーター６１，６３をそれぞれ介装してある。レギュレーター６１，６３は、電源回路６０で生成された所定電圧（図２では３．３Ｖ）を制御ＩＣ１０の動作電圧の定電圧（図２では１．１Ｖ）に変換して出力する、定電圧回路として機能する。
【００２８】
電源供給ラインＬ１に介装されるレギュレーター６１は、制御端子Ｔを備えており、制御端子Ｔに入力されるレギュレーター制御信号に従って、定電圧の出力のオンオフを切り替え可能である。レギュレーター６１は、出力オンを指示するレギュレーター制御信号が制御端子Ｔに入力されると定電圧を出力し、出力オフを指示するレギュレーター制御信号が制御端子Ｔに入力されると出力を停止する。いずれのレギュレーター制御信号を出力するかは、モノクロ／カラー判別の結果に基づいて決定される。
【００２９】
本実施例において、モノクロ／カラー判別は、モノクロ／カラー判別部Ｍ２が行う。ここで、モノクロ／カラー判別は、印刷データＤ１の印刷におけるカラー印刷の要否に基づいて行われる。
図３は、印刷データＤ１の構成の一例を示す図である。同図に示すように、印刷データＤ１は、印刷コマンドや画像印刷コマンドを備えている。印刷コマンドでは、カラー印刷とモノクロ印刷のいずれかを指定することができる。画像印刷コマンドでは、画像印刷コマンドが印刷条件を指定する画像について、カラー印刷とモノクロ印刷のいずれかを指定することができる。そこで、モノクロ／カラー判別部Ｍ２は、印刷データＤ１において、カラー印刷が指定されていればカラー印刷が必要と判断し、モノクロ印刷が指定されていればカラー印刷が不要と判断する。
【００３０】
電源制御部Ｍ３はモノクロ／カラー判別部Ｍ２の判別結果に基づいてレギュレーター６１を制御する。電源制御部Ｍ３は、本実施例においては、設定レジスター１５を介してレギュレーター６１を制御している。設定レジスター１５は、第１の値が書き込まれると、第１の電圧信号をレギュレーター制御信号として制御端子Ｔに入力する。すると、レギュレーター６１は、定電圧の出力を停止する。また設定レジスター１５は、第２の値（≠第１の値）が書き込まれると、第２の電圧信号（≠第１の電圧信号）をレギュレーター制御信号として制御端子Ｔに入力する。すると、レギュレーター６１は、定電圧の出力を開始する。
【００３１】
すなわち、電源制御部Ｍ３が、設定レジスター１５に第１の値が書き込めば、レギュレーター６１はカラー用スクリーン回路への電源供給を停止し、設定レジスター１５に第２の値を書き込めば、レギュレーター６１はカラー用スクリーン回路への電源供給を開始する。また、レギュレーター６１の出力ラインにはリセット回路６２が接続されており、リセット回路６２は、レギュレーター６１の出力電圧の立ち上がりを検知すると、カラー用スクリーン回路にリセット信号を出力してリセットさせる。すなわち、レギュレーター６１が定電圧の出力停止状態から、定電圧の出力を開始すると、リセット回路６２がカラー用スクリーン回路を構成する各スクリーン回路をリセットする。すなわち、設定レジスター１５に第１の値が書き込めば、カラー用スクリーン回路の印刷準備が整う。
【００３２】
なお、レギュレーター６３の出力ラインにもリセット回路６４が接続されており、リセット回路６４は、レギュレーター６３の出力電圧の立ち上がりを検知すると、カラー用スクリーン回路を除く制御ＩＣ１０の各回路にリセット信号を出力してリセットさせる。すなわち、プリンター１００の電源が投入されてレギュレーター６３が定電圧の出力を開始すると、リセット回路６４がカラー用スクリーン回路を除く制御ＩＣをリセットする。すなわち、プリンター１００の電源が投入されると、カラー用スクリーン回路を除く制御ＩＣ１０の印刷準備が整う。
【００３３】
（２）本実施例の電源制御処理： 
図４は、電源制御部Ｍ３の行う電源制御のパターンを説明する図である。同図に示すように、本実施例では２つの電源制御のパターンが考えられる。第１のパターンでは、通常はカラー用スクリーン回路の電源を切っておき、カラー印刷が必要なときだけカラー用スクリーン回路の電源を入れ、その後、カラー印刷が完了するとカラー用スクリーン回路の電源を切る。一方、第２のパターンでは、通常はカラー用スクリーン回路の電源を入れておき、モノクロ印刷を実行するときだけカラー用スクリーン回路の電源を切り、その後、モノクロ印刷が完了するとカラー用スクリーン回路の電源を入れる。いずれのパターンであっても、スクリーン回路の消費電力を低減できる。
【００３４】
図５は、第１のパターンで行う電源制御処理の流れを示すフローチャートである。同図に示す電源制御処理はプリンター１００の電源が投入されて、ＣＰＵ１１が起動したときに開始される。処理が開始されると、まず、カラー用スクリーン回路の電源をオフにする（Ｓ１００）。むろん、プリンター１００が起動される時に、カラー用スクリーン回路が電源オフの状態で起動するのであれば、ステップＳ１００は不要である。
【００３５】
次に、印刷データＤ１の入力の有無を判断する（Ｓ１０５）。印刷データＤ１がホストコンピューター２００から入力されるとステップＳ１１０に進み（Ｓ１０５：Ｙｅｓ）、印刷データＤ１の入力を検知しないときはステップＳ１０５の判断を繰り返し実行する（Ｓ１０５：Ｎｏ）。ステップＳ１１０では、モノクロ／カラー判別部Ｍ２の判断に基づいて、入力された印刷データＤ１でのカラー印刷の要否を判断する。判断の結果、印刷データＤ１にカラー印刷が必要な場合はステップＳ１１５に進み（Ｓ１１０：カラー）、カラー印刷が不要な場合はステップＳ１２０に進む（Ｓ１１０：モノクロ）。
【００３６】
ステップＳ１１５において、電源制御部Ｍ３は、設定レジスター１５に第２の値を書き込む。すると、設定レジスター１５が第２の電圧信号を出力し、レギュレーター６１が定電圧の出力を開始するため、カラー用スクリーン回路の電源がオンになる。さらに、レギュレーター６１が定電圧の出力を開始すると、リセット回路６２がカラー用スクリーン回路にリセット信号を出力し、カラー用スクリーン回路が初期化されてカラー印刷が可能な状態になる。
【００３７】
ステップＳ１２０において、電源制御部Ｍ３は、ステップＳ１０５で入力された印刷データＤ１の印刷が完了したか否か判断し、印刷が完了していればステップＳ１２５に進み（Ｓ１２０：Ｙｅｓ）、印刷中であればステップＳ１２０の判断を繰り返す（Ｓ１２０：Ｎｏ）。ステップＳ１２５では、次の印刷データＤ１が入力されているか否かを判断し、次の印刷データＤ１が入力されている場合はステップＳ１３０に進み（Ｓ１２５：Ｙｅｓ）、次の印刷データＤ１が未入力の場合はステップＳ１３５に進む（Ｓ１２５：Ｎｏ）。
【００３８】
ステップＳ１３０では、次の印刷データＤ１でのカラー印刷の要否を判断し、カラー印刷が必要な場合はステップＳ１１５に進み（Ｓ１３０：カラー）、カラー印刷が不要な場合はステップＳ１３５に進む（Ｓ１３０：モノクロ）。ステップＳ１３５において、電源制御部Ｍ３は、設定レジスター１５に第１の値を書き込む。すると、設定レジスター１５が第１の電圧信号を出力し、レギュレーター６１が定電圧の出力を停止するため、カラー用スクリーン回路の電源がオフになる。ステップＳ１３５が終了すると、電源制御部Ｍ３は、ステップＳ１０５に戻り印刷データＤ１の入力を待機する。
【００３９】
以上のように、カラー印刷が必要な時だけカラー用スクリーン回路の電源を入れることにより、カラー印刷が行われないときはカラー用スクリーン回路の消費電力を抑制できる。カラー用スクリーン回路は、制御ＩＣ１０の中で約１０％を占めており、消費電力の約１０〜１５％を占めるため、カラー用スクリーン回路の電源をオフすることによる消費電力の低減効果は絶大である。
【００４０】
図６は、第２のパターンで行う電源制御処理の流れを示すフローチャートである。同図に示す電源制御処理もプリンター１００の電源が投入されて、ＣＰＵ１１が起動したときに開始される。処理が開始されると、まず、カラー用スクリーン回路の電源をオンにする（Ｓ２００）。むろん、プリンター１００の起動時に、カラー用スクリーン回路が電源オンの状態で起動しているのであれば、ステップＳ２００は不要である。
【００４１】
次に、印刷データＤ１の入力の有無を判断する（Ｓ２０５）。印刷データＤ１がホストコンピューター２００から入力されるとステップＳ２１０に進み（Ｓ２０５：Ｙｅｓ）、印刷データＤ１の入力を検知しないときはステップＳ２０５の判断を繰り返し実行する（Ｓ２０５：Ｎｏ）。ステップＳ２１０では、モノクロ／カラー判別部Ｍ２の判断に基づいて、入力された印刷データＤ１でのカラー印刷の要否を判断する。判断の結果、印刷データＤ１にカラー印刷が不要な場合はステップＳ２１５に進み（Ｓ２１０：モノクロ）、カラー印刷が必要な場合はステップＳ２２０に進む（Ｓ２１０：カラー）。
【００４２】
ステップＳ２１５において、電源制御部Ｍ３は、設定レジスター１５に第１の値を書き込む。すると、設定レジスター１５が第１の電圧信号を出力し、レギュレーター６１が定電圧の出力を開始するため、カラー用スクリーン回路の電源がオフになる。
【００４３】
ステップＳ２２０において、電源制御部Ｍ３は、ステップＳ２０５で入力された印刷データＤ１の印刷が完了したか否か判断し、印刷が完了していればステップＳ２２５に進み（Ｓ２２０：Ｙｅｓ）、印刷中であればステップＳ２２０の判断を繰り返す（Ｓ２２０：Ｎｏ）。ステップＳ２２５では、次の印刷データＤ１が入力されているか否かを判断し、次の印刷データＤ１が入力されている場合はステップＳ２３０に進み（Ｓ２２５：Ｙｅｓ）、次の印刷データＤ１が未入力の場合はステップＳ２３５に進む（Ｓ２２５：Ｎｏ）。
【００４４】
ステップＳ２３０では、次の印刷データＤ１でのカラー印刷の要否を判断し、カラー印刷が不要な場合はステップＳ２２０に進み（Ｓ２３０：モノクロ）、カラー印刷が必要な場合はステップＳ２３５に進む（Ｓ２３０：カラー）。なお、ステップＳ２３０からステップＳ２２０に進んだときは、ステップＳ２２５で検知した印刷データＤ１の印刷中であるか否かを判断することになる。
【００４５】
ステップＳ２３５において、電源制御部Ｍ３は、設定レジスター１５に第２の値を書き込む。すると、設定レジスター１５が第２の電圧信号を出力し、レギュレーター６１が定電圧の出力を開始するため、カラー用スクリーン回路の電源がオンになる。また、レギュレーター６１が定電圧の出力を開始すると、リセット回路６２がカラー用スクリーン回路にリセット信号を出力するため、カラー用スクリーン回路が初期化され、カラー印刷が可能な状態になる。ステップＳ２３５が終了すると、電源制御部Ｍ３は、ステップＳ２０５に戻り印刷データＤ１の入力を待機する。
【００４６】
以上のように、モノクロ印刷が行われているときにカラー用スクリーン回路の電源をオフするため、カラー印刷が確実に不要なときにカラー用スクリーン回路での消費電力をカットできる。さらに、印刷データＤ１の入力を待機しているときは、いつでもカラー印刷に対応可能である。よって、消費電力を低減しつつ、カラー印刷が必要な印刷データＤ１の入力から印刷までのタイムラグを防止できる。
【００４７】
（３）各種変形例： 
以上説明した実施例は、以下のように変更することも可能である。
（３−１）変形例１：
図７は、変形例１にかかるプリンターの電源回路とその制御にかかる構成を示すブロック図である。変形例１では、図１に示したスクリーン回路１４と色変換・圧縮回路１３との両方について電源分離を行っている。本変形例１では、上述した実施例と同様に、スクリーン回路１４が、スクリーン回路１４Ｃ、スクリーン回路１４Ｍ、スクリーン回路１４Ｙ、スクリーン回路１４Ｋ、を備えている。なお、本変形例においても、なお、色変換処理を行う色変換・圧縮回路１３が色変換部を構成し、圧縮処理を行う色変換・圧縮回路１３が圧縮部を構成し、スクリーン回路１４がスクリーン処理部を構成する。
【００４８】
さらに、色変換・圧縮回路１３が、プリンター１００に搭載されている各トナーの色毎に用意されており、シアンのビットマップ画像データを処理する色変換・圧縮回路１３Ｃ、マゼンタのビットマップ画像データを処理する色変換・圧縮回路１３Ｍ、イエローのビットマップ画像データを処理するする色変換・圧縮回路１３Ｙ、ブラックのビットマップ画像データを処理する色変換・圧縮回路１３Ｋ、を備えている。なお、本変形例２では、色変換・圧縮回路をまとめて電源分離の対象としたが、むろん、色変換回路と圧縮回路の一方だけを電源分離の対象としてもよい。
【００４９】
スクリーン回路１４Ｃ，１４Ｍ，１４Ｙ，１４Ｋと、色変換・圧縮回路１３Ｃ，１３Ｍ，１３Ｙ，１３Ｋを備える制御ＩＣ１０では、カラー画像を処理する際に必要なスクリーン回路１４Ｃ，１４Ｍ，１４Ｙ並びに色変換・圧縮回路１３Ｃ，１３Ｍ，１３Ｙ（以下、１４Ｃ，１４Ｍ，１４Ｙ，１３Ｃ，１３Ｍ，１３Ｙをまとめてカラー用画像処理回路と記載する。）と、その他の回路とで電源分離されている。なお、本変形例１では、カラー用画像処理回路が第１回路を構成し、その他の回路が第２回路を構成する。
【００５０】
電源回路６０において、電源回路６０からカラー画像用画像処理回路への電源供給ラインＬ３と、その他の回路への電源供給ラインＬ４を別々に用意し、電源供給ライン上にレギュレーター６１，６３をそれぞれ介装してある。レギュレーター６１，６３は、電源回路６０で生成された所定電圧（図７では３．３Ｖ）を制御ＩＣ１０の動作電圧の定電圧（図７では１．１Ｖ）に変換して出力する、定電圧回路として機能する。
【００５１】
以上のように構成した変形例１にかかるプリンター１００において、上述した実施例と同様の電源制御処理を行うと、スクリーン回路のみならず、色変換・圧縮回路も含むカラー用画像処理回路の電源を適宜オン／オフ切り替えするため、消費電力をさらに低減できる。なお、言うまでもないが、本変形例では、上述した実施例における「カラー用スクリーン回路」の代わりに「カラー用画像処理回路」への電源供給を切替制御することになる。
【００５２】
（３−２）変形例２の構成： 
図８は、変形例２にかかるプリンターの構成を示すブロック図である。本変形例２にかかるプリンター３００は、上述した実施例のプリンター１００に、スキャナーユニット３７０とスキャナー制御部３１６とを加えてある。このプリンター３００では、プリンター１００と同様にホストコンピューター２００から印刷データＤ１を入力して印刷する際に上述した電源制御処理を実行可能であり、さらにスキャナーユニット３７０から入力される読取画像データＤ５を印刷する際にもモノクロ／カラー判別の結果に基づく電源制御処理を実行可能になっている。
【００５３】
なお、図８の符号３１１，３１２，３１３，３１４，３２０，３３０，３４０，３５０，３６０にかかる構成は、図１の符号１１，１２，１３，１４，２０，３０，４０，５０，６０にかかる構成とそれぞれ同様であるため、これら共通な構成については以下での説明を省略することにする。
【００５４】
スキャナー制御部３１６は、制御ＩＣ３１０に含まれており、メモリーコントローラー３１２に接続されている。スキャナー制御部３１６は、スキャナーユニット３７０の制御と、スキャナーユニット３７０から入力された読取画像データＤ５に対する各種の画像処理（補正、モアレ除去、エッジ強調等）とを実行可能であり、さらに、読取画像データＤ５のモノクロ／カラー判別を行うモノクロ／カラー判別回路３１６ａを備えている。なお、本変形例２において、スキャナー制御部３１６により制御されるスキャナーユニット３７０、もしくは各種の画像処理を行うスキャナー制御部３１６とスキャナーユニット３７０の組合せが画像読取部を構成する。
【００５５】
スキャナー制御部３１６にはスキャナーユニット３７０が接続されており、スキャナー制御部３１６は、スキャナーユニット３７０に読取画像データＤ５に出力させることができる。スキャナー制御部３１６は、不図示の操作部やホストコンピューター２００等から、スキャナーユニット３７０によるスキャンやコピーを指示されると、スキャナーユニット３７０を制御して原稿等の読取対象物における読取面を走査して、読取画像データＤ５を作成させる。このようにして作成された読取画像データＤ５について、モノクロ／カラー判別回路３１６ａは、彩度に基づくモノクロ／カラー判別を行う。
【００５６】
図９は、モノクロ／カラー判別回路３１６ａの行うモノクロ／カラー判別を説明するフローチャートである。同図では、読取画像データＤ５を構成する各画素が、Ｒ（レッド）、Ｇ(グリーン)、Ｂ（ブルー）の３つの要素色の階調値で表現されるものとしてある。モノクロ／カラー判別回路は、まず、読取画像データＤ５を構成する複数の画素から１つを選択し（Ｓ３００）、これを着目画素として、この着目画素について彩度判定を行う。
【００５７】
彩度判定では、まず、着目画素の階調値を（Ｒ，Ｇ，Ｂ）＝（Ｒｎ，Ｇｎ，Ｂｎ）とすると、Ｒｎ，Ｇｎ，Ｂｎの中から２色の組合せを選択し、選択した２色の差分の絶対値を算出する。そして、この２色の差分の絶対値を全ての組合せについて求めて、最も大きい絶対値と所定の閾値とを比較する（Ｓ３０５）。比較の結果、最も大きい絶対値が所定の閾値よりも大きい場合は（Ｓ３０５：Ｙｅｓ）、着目画素を非モノクロ画素と判断して、非モノクロ画素数をカウントするカウンターｍをカウントアップする（Ｓ３１０）。そして、同様の比較を読取画像データＤ５のすべての画素に順次行って（Ｓ３００〜Ｓ３１５）、非モノクロ画素と判断された画素数をカウンターｍにカウントしていく（Ｓ３１０）。
【００５８】
そして、読取画像データＤ５に非モノクロ画素の占める割合を示す非モノクロ割合を算出する。非モノクロ割合は、読取画像データＤ５の全画素数（＝ｘ画素×ｙ画素）で非モノクロ画素数のカウンターｍの値を除することにより算出される。このように算出された非モノクロ割合について、一定割合（例えば７０％）を超えたか否か判断する（Ｓ３２０）。その結果、非モノクロ割合が一定割合を超えた場合は（Ｓ３２０：Ｙｅｓ）、読取画像データＤ５をカラー画像データと判断し（Ｓ３２５）、非モノクロ割合が一定割合以下であれば（Ｓ３２０：Ｎｏ）、読取画像データＤ５をモノクロ画像データと判断する（Ｓ３３０）。
【００５９】
（３−３）変形例２の電源制御処理： 
図１０は、変形例２にかかるプリンターの電源回路とその制御にかかる構成を示すブロック図である。同図では、スキャナー制御部３１６に内蔵されているモノクロ／カラー判別回路３１６ａが電源回路３６０を制御する。同図では、上述した実施例の図２と同様に、制御ＩＣ３１０においてカラー用スクリーン回路とその他の回路とで電源分離されている。なお、電源供給ラインＬ５は図２の電源供給ラインＬ１に対応し、電源供給ラインＬ６は図２の電源供給ラインＬ２に対応する。また、符号３１４Ｃ，３１４Ｍ，３１４Ｙ，３１４Ｋ，３６１，３６３，３６４の各構成は、それぞれ、図２の符号１４Ｃ，１４Ｍ，１４Ｙ，１４Ｋ，６１，６３，６４の各構成に対応する。
【００６０】
ここで、モノクロ／カラー判別回路３１６ａは、図９に例示したモノクロ／カラー判別部Ｍ２の判別結果に基づいてレギュレーター３６１を制御する。特に、プリンター１００において、スキャナーユニット３７０で読み取った読取画像データＤ５に基づいて行うコピー印刷の際に、モノクロ／カラー判別回路３１６ａがレギュレーター３６１を制御すると好適である。むろん、モノクロ／カラー判別回路３１６ａで印刷データＤ１に含まれる画像データを判別してレギュレーター３６１を制御することにより電源制御処理を行ってもよい。
【００６１】
なお、ホストコンピューター２００から入力された印刷データＤ１を印刷するときは、上述した実施例と同様に、ＣＰＵ３１１により実現されるモノクロ／カラー判別部Ｍ２の判別結果に基づいて電源制御部Ｍ３がレギュレーター３６１を制御する。
【００６２】
モノクロ／カラー判別回路３１６ａは、レギュレーター３６１の制御端子Ｔと接続されており、第１信号電圧と第２信号電圧（≠第１の電圧信号）をレギュレーター制御信号として入力することができる。モノクロ／カラー判別回路３１６ａが、第１の電圧信号を制御端子Ｔに入力するとレギュレーター３６１は定電圧の出力を停止し、第２の電圧信号を制御端子Ｔに入力すると、レギュレーター３６１は定電圧の出力を開始する。リセット回路３６２は、レギュレーター３６１の出力電圧の立ち上がりを検知すると、カラー用スクリーン回路にリセット信号を出力してリセットさせる。
【００６３】
図１１は、以上のように構成された変形例２にかかる電源制御処理の流れを示すフローチャートである。同図に示す電源制御処理は、プリンター３００のスキャナー制御部３１６が実行する。なお、同図に示す処理は、上述したパターン１（図５）での電源制御をＣＰＵ３１１が行っている場合に、スキャナー制御部３１６が実行する電源制御処理である。同図に示す電源制御処理は、プリンター３００の電源が投入されて、スキャナー制御部３１６が起動したときに開始される。
【００６４】
処理が開始されると、スキャン指示の有無を判断する（Ｓ４００）。スキャン指示は、ユーザーの操作入力を受け付けるための不図示の操作部やホストコンピューター２００等から入力される。スキャン指示を検知するとステップＳ４０５に進み（Ｓ４００：Ｙｅｓ）、スキャン指示を検知するまではステップＳ４００を繰り返す（Ｓ４００：Ｎｏ）。
【００６５】
次に、読取画像データＤ５の入力の有無を判断する（Ｓ４０５）。スキャナーユニット３７０の読み取り走査が完了し、スキャナーユニット３７０から読取画像データＤ５が入力されるとステップＳ４１０に進み（Ｓ４０５：Ｙｅｓ）、読取画像データＤ５が入力されていない間はステップＳ４０５の判断を繰り返し実行する（Ｓ４０５：Ｎｏ）。なお、本変形例２では、読取画像データＤ５が読取画像データを構成するのは無論であるが、読取画像データＤ５は印刷データも構成する。
【００６６】
ステップＳ４１０では、モノクロ／カラー判別回路３１６ａが、読取画像データＤ５のコピーにおけるカラー印刷の要否を判断する。ここで、モノクロ／カラー判別回路３１６ａが読取画像データＤ５をカラー画像データと判断すると、カラー印刷が必要であると判断してステップＳ４１５に進み（Ｓ４１０：カラー）、モノクロ／カラー判別回路３１６ａが読取画像データＤ５をモノクロ画像データと判断すると、カラー印刷が不要であると判断してステップＳ４２０に進む（Ｓ４１０：モノクロ）。
【００６７】
ステップＳ４１５において、モノクロ／カラー判別回路３１６ａは、レギュレーター３６１に第２の電圧信号を出力する。すると、レギュレーター３６１は定電圧の出力を開始し、カラー用スクリーン回路の電源がオンになる。また、レギュレーター３６１が定電圧の出力を開始すると、リセット回路３６２がカラー用スクリーン回路にリセット信号を出力し、カラー用スクリーン回路が初期化されるため、カラー印刷が可能な状態になる。
【００６８】
ステップＳ４２０において、スキャナー制御部３１６は、ステップＳ４０５で入力された読取画像データＤ５の印刷が完了したか否か判断し、印刷が完了していればステップＳ４２５に進み（Ｓ４２０：Ｙｅｓ）、印刷中であればステップＳ４２０の判断を繰り返す（Ｓ４２０：Ｎｏ）。ステップＳ４２５では、モノクロ／カラー判別回路３１６ａが、レギュレーター３６１に第１の電圧信号を出力する。すると、レギュレーター３６１は定電圧の出力を停止し、カラー用スクリーン回路の電源がオフになる。ステップＳ４２５が終了すると、スキャナー制御部３１６は、ステップＳ４００に戻り、スキャン指示の入力を待機する。
以上のように、カラーコピーが必要な時だけカラー用スクリーン回路の電源を入れることにより、カラーコピーが行われないときはカラー用スクリーン回路の消費電力を抑制できる。
【００６９】
図１２は、変形例２にかかる電源制御処理の流れを示すフローチャートである。同図に示す処理は、プリンター３００のスキャナー制御部３１６が実行する。なお、同図に示す処理は、上述したパターン２（図５）の電源制御をＣＰＵ３１１が行っている場合に、スキャナー制御部３１６が実行する電源制御処理である。同図に示す電源制御処理はプリンター１００の電源が投入されて、スキャナー制御部３１６が起動したときに開始される。
【００７０】
処理が開始されると、スキャン指示の有無を判断する（Ｓ５００）。スキャン指示は、ユーザーの操作入力を受け付けるための不図示の操作部やホストコンピューター２００等から入力される。スキャン指示を検知するとステップＳ５０５に進み（Ｓ５００：Ｙｅｓ）、スキャン指示を検知するまではステップＳ５００を繰り返す（Ｓ５００：Ｎｏ）。
【００７１】
次に、読取画像データＤ５の入力の有無を判断する（Ｓ５０５）。スキャナーユニット３７０の読み取り走査が完了し、スキャナーユニット３７０から読取画像データＤ５が入力されるとステップＳ５１０に進み（Ｓ５０５：Ｙｅｓ）、読取画像データＤ５の入力がされない間はステップＳ５０５の判断を繰り返し実行する（Ｓ５０５：Ｎｏ）。ステップＳ５１０では、モノクロ／カラー判別回路３１６ａが、読取画像データＤ５の印刷におけるカラー印刷の要否を判断する。ここで、モノクロ／カラー判別回路３１６ａが読取画像データＤ５をカラー画像データと判断すると、カラー印刷が必要であると判断してステップＳ５２０に進み（Ｓ５１０：カラー）、モノクロ／カラー判別回路３１６ａが読取画像データＤ５をモノクロ画像データと判断すると、カラー印刷が不要であると判断してステップＳ５１５に進む（Ｓ５１０：モノクロ）。
【００７２】
ステップＳ５１５において、モノクロ／カラー判別回路３１６ａは、レギュレーター３６１に第１の電圧信号を出力する。すると、レギュレーター３６１は定電圧の出力を停止し、カラー用スクリーン回路の電源がオフになる。
【００７３】
ステップＳ５２０において、スキャナー制御部３１６は、ステップＳ５０５で入力された読取画像データＤ５の印刷が完了したか否か判断し、印刷が完了していればステップＳ５２５に進み（Ｓ５２０：Ｙｅｓ）、印刷中であればステップＳ５２０の判断を繰り返す（Ｓ５２０：Ｎｏ）。ステップＳ５２５において、モノクロ／カラー判別回路３１６ａは、レギュレーター３６１に第２の電圧信号を出力する。すると、レギュレーター３６１は定電圧の出力を開始し、カラー用スクリーン回路の電源がオンになる。また、レギュレーター３６１が定電圧の出力を開始すると、リセット回路３６２がカラー用スクリーン回路にリセット信号を出力し、カラー用スクリーン回路が初期化されるため、カラー印刷が可能な状態になる。ステップＳ５２５が終了すると、スキャナー制御部３１６は、ステップＳ５００に戻り、スキャン指示の入力を待機する。
【００７４】
以上のように、モノクロコピーが行われているときはカラー用スクリーン回路の電源をオフにするため、カラーコピーが確実に不要なときにカラー用スクリーン回路での消費電力をカットしつつ、読取画像データＤ５の入力の待機中は、いつでもカラーコピーに対応可能になる。よって、消費電力を低減しつつ、カラーコピーが必要な読取画像データＤ５の入力から印刷までのタイムラグを回避できる。
【００７５】
（４）まとめ：
以上説明した実施例によれば、印刷データＤ１に基づいてカラー印刷もしくはモノクロ印刷を実行可能なプリンター１００において、印刷データＤ１から作成されるカラー画像データの画像処理を行うカラー用スクリーン回路と、カラー用スクリーン回路を除いた少なくとも印刷データＤ１から作成されるモノクロ画像データの画像処理を行うスクリーン回路１４Ｋを含む制御ＩＣ１０と、で電源の供給経路が分離されており、印刷データＤ１をカラー印刷するかモノクロ印刷するか判別するモノクロ／カラー判別部Ｍ２と、印刷データＤ１をカラー印刷するときは制御ＩＣ１０全体に電源を供給し、モノクロ印刷するときはカラー用スクリーン回路の電源をオフし且つその他の制御ＩＣ１０に電源を供給する電源制御部Ｍ３と、を備える。よって、ＴＥＣ値の低減が可能となる。
【００７６】
また、上記変形例１によれば、印刷データＤ１に基づいてカラー印刷もしくはモノクロ印刷を実行可能なプリンター１００において、印刷データＤ１から作成されるカラー画像データの画像処理を行うカラー用画像処理回路と、カラー用画像処理回路を除いた少なくとも印刷データＤ１から作成されるモノクロ画像データの画像処理を行うスクリーン回路１４Ｋや色変換・圧縮回路１３Ｋを含む制御ＩＣ１０と、で電源の供給経路が分離されており、印刷データＤ１をカラー印刷するかモノクロ印刷するか判別するモノクロ／カラー判別部Ｍ２と、印刷データＤ１をカラー印刷するときは制御ＩＣ１０全体に電源を供給し、モノクロ印刷するときはカラー用画像処理回路の電源をオフし且つその他の制御ＩＣ１０に電源を供給する電源制御部Ｍ３と、を備える。よって、さらなるＴＥＣ値の低減が可能となる。
【００７７】
また、上記変形例２によれば、読取画像データＤ５に基づいてカラー印刷もしくはモノクロ印刷を実行可能なプリンター３００において、読取画像データＤ５から作成されるカラー画像データの画像処理を行うカラー用スクリーン回路と、カラー用スクリーン回路を除いた少なくとも読取画像データＤ５から作成されるモノクロ画像データの画像処理を行うスクリーン回路１４Ｋを含む制御ＩＣ１０と、で電源の供給経路が分離されており、読取画像データＤ５をカラー印刷するかモノクロ印刷するか判別するモノクロ／カラー判別回路３１６ａと、読取画像データＤ５をカラー印刷するときは制御ＩＣ１０の全体に電源を供給し、モノクロ印刷するときはカラー用スクリーン回路をオフし且つその他の制御ＩＣ１０に電源を供給するスキャナー制御部３１６と、を備える。コピー機能を備えたプリンターにおいても、ＴＥＣ値の低減が可能となる。
【００７８】
なお、本発明は上述した実施形態や変形例に限られず、上述した実施形態および変形例の中で開示した各構成を相互に置換したり組合せを変更したりした構成、公知技術並びに上述した実施形態および変形例の中で開示した各構成を相互に置換したり組合せを変更したりした構成、等も含まれる。
【符号の説明】
【００７９】
１００…プリンター、２００…ホストコンピューター、１０…制御ＩＣ、１１…ＣＰＵ、
１２…メモリーコントローラー、１３，１３Ｃ，１３Ｋ，１３Ｍ，１３Ｙ…色変換・圧縮回路、１４…スクリーン回路、１４Ｃ，１４Ｍ，１４Ｙ，１４Ｋ…スクリーン回路、１５…設定レジスター、２０…ＲＯＭ、３０…ＲＡＭ、４０…印刷エンジン、５０…ホストＩ／Ｆ、６０…電源回路、６１…レギュレーター、６２…リセット回路、６３…レギュレーター、６４…リセット回路、３００…プリンター、３１１…ＣＰＵ、３１２…メモリーコントローラー、３１６…スキャナー制御部、３１６ａ…モノクロ／カラー判別回路、３６０…電源回路、３６１…レギュレーター、３６２…リセット回路、３７０…スキャナーユニット、Ｄ１…印刷データ、Ｄ２…ビットマップ画像データ、Ｄ３…圧縮画像データ、Ｄ５…読取画像データ、Ｌ１…電源供給ライン、Ｌ２…電源供給ライン、Ｌ３…電源供給ライン、Ｌ４…電源供給ライン、Ｌ５…電源供給ライン、Ｌ６…電源供給ライン、Ｍ１…印刷制御部、Ｍ２…モノクロ／カラー判別部、Ｍ３…電源制御部、Ｔ…制御端子
【図１】
2011194740.tif 000003
【図２】
2011194740.tif 000004
【図３】
2011194740.tif 000005
【図４】
2011194740.tif 000006
【図５】
2011194740.tif 000007
【図６】
2011194740.tif 000008
【図７】
2011194740.tif 000009
【図８】
2011194740.tif 000010
【図９】
2011194740.tif 000011
【図１０】
2011194740.tif 000012
【図１１】
2011194740.tif 000013
【図１２】
2011194740.tif 000014